(57)【特許請求の範囲】
【請求項１】
デジタル放送信号を受信するチューナ部と、
受信したデジタル放送信号をトランスポートストリームに復調する復調部と、
この復調部で復調された前記トランスポートストリームから番組データ、番組特定データおよび番組配列データを抽出するデマルチプレクサ部と、
このデマルチプレクサ部で抽出された前記番組データに含まれる映像データおよび音声データをＭＰＥＧ復号するＭＰＥＧデコーダ部と、
このＭＰＥＧデコーダ部でＭＰＥＧ復号された映像データにＯＳＤを合成するＯＳＤ処理部と、
前記ＯＳＤが合成された前記ＭＰＥＧ復号された映像データを表示する表示部と、
前記ＭＰＥＧデコーダ部でＭＰＥＧ復号された音声データを出力するスピーカと、
アプリケーションプログラムが格納されているフラッシュＲＯＭと、
前記アプリケーションプログラムが実行されるＲＡＭと、
装置全体を制御する制御部と、
リモコンのキー操作信号を受信するキー受信部と、
インターネットに接続された各種サーバーとデータの送受信を行うネットワークＩＦ部とを有するデジタル放送受信装置において、
前記制御部は、
所定の一番組の中で前記表示部に表示される映像に含まれている対象物の対象物画像データを一定時間毎に自動的に抽出する対象物画像データ自動抽出手段と、
前記対象物の名称と当該対象物の基準対象物画像データが関連付けされた対象物データベースを参照し、前記番組配列データに含まれる番組情報から番組の登場対象物の名称を取得し、前記対象物画像データ自動抽出手段で抽出された対象物画像データと前記対象物データベースに登録されている対象物の基準対象物画像データを照合して類似率の高い基準対象物画像データを複数抽出し、抽出された前記複数の基準対象物画像データの対象物の名称と前記登場対象物の名称とを照合し、名称が一致した基準対象物画像データの対象物を前記対象物画像データの対象物として特定する対象物特定手段と、
前記対象物特定手段で特定された前記対象物の名称と当該対象物の対象物画像データを対応付けた対象物リストを、前記対象物画像データ自動抽出手段により一定時間毎に自動的に抽出された前記対象物画像データを照合しながら加えることで、前記一番組毎に構築する対象物リスト構築手段と、
前記対象物リスト構築手段で構築された前記対象物リストを前記ＯＳＤ処理部に通知して前記表示部に前記対象物リストの表示を、前記対象物画像データ自動抽出手段により一定時間毎に自動的に抽出された前記対象物画像データを照合しながら加えることで、前記一番組毎に行う対象物リスト表示手段と、
前記表示部に表示された前記対象物リストからユーザーからの操作によって対象物が選択される対象物選択手段と、
前記対象物選択手段で選択された対象物に関する対象物情報の構成要素を前記インターネットの検索で前記各種サーバーから取得し、取得した情報をもとに対象物情報を構築する対象物情報構築手段と、
前記対象物情報構築手段で構築された前記対象物情報を前記ＯＳＤ処理部に通知して前記表示部に前記対象物情報の表示を行う対象物情報表示手段と、
を備えることを特徴とするデジタル放送受信装置。
【請求項２】
対象物リスト構築手段は、番組が切り替わった時に対象物リストの登録情報を削除することを特徴とする請求項１に記載のデジタル放送受信装置。
【請求項３】
デジタル放送信号を受信する受信ステップと、
受信したデジタル放送信号をトランスポートストリームに復調する復調ステップと、
この復調ステップで復調された前記トランスポートストリームから番組データ、番組特定データおよび番組配列データを抽出する番組抽出ステップと、
この番組抽出ステップで抽出された前記番組データに含まれる映像データおよび音声データをＭＰＥＧ復号するＭＰＥＧ復号ステップと、
このＭＰＥＧ復号ステップでＭＰＥＧ復号された映像データにＯＳＤを合成するＯＳＤ合成ステップと、
前記ＯＳＤが合成された前記ＭＰＥＧ復号された映像データを表示する表示ステップと、
前記ＭＰＥＧ復号ステップでＭＰＥＧ復号された音声データを出力する出力ステップと、
リモコンのキー操作信号を受信するキー受信ステップと、
インターネットに接続された各種サーバーとデータの送受信を行うネットワーク送受信ステップと、
所定の一番組の中で表示される映像に含まれている対象物の対象物画像データを一定時間毎に自動的に抽出する対象物画像データ自動抽出ステップと、
前記対象物の名称と当該対象物の基準対象物画像データが関連付けされた対象物データベースを参照し、前記番組配列データに含まれる番組情報から番組の登場対象物の名称を取得し、前記対象物画像データ自動抽出ステップで抽出された対象物画像データと前記対象物データベースに登録されている対象物の基準対象物画像データを照合して類似率の高い基準対象物画像データを複数抽出し、抽出された前記複数の基準対象物画像データの対象物の名称と前記登場対象物の名称とを照合し、名称が一致した基準対象物画像データの対象物を前記対象物画像データの対象物として特定する対象物特定ステップと、
前記対象物特定ステップで特定された前記対象物の名称と当該対象物の対象物画像データを対応付けた対象物リストを、前記対象物画像データ自動抽出ステップで一定時間毎に自動的に抽出された前記対象物画像データを照合しながら加えることで、前記一番組毎に構築する対象物リスト構築ステップと、
前記対象物リスト構築ステップで構築された前記対象物リストの表示を、前記対象物画像データ自動抽出ステップで一定時間毎に自動的に抽出された前記対象物画像データを照合しながら加えることで、前記一番組毎に行う対象物リスト表示ステップと、
前記対象物リストからユーザーからの操作によって対象物が選択される対象物選択ステップと、
前記対象物選択ステップで選択された対象物に関する対象物情報の構成要素を前記インターネットの検索で前記各種サーバーから取得し、取得した情報をもとに対象物情報を構築する対象物情報構築ステップと、
前記対象物情報構築ステップで構築された前記対象物情報の表示を行う対象物情報表示ステップと
を備えることを特徴とするデジタル放送受信方法。
【発明の詳細な説明】
【技術分野】
【０００１】
本発明は、映像に含まれている人物や建物などをリスト表示し、当該人物や建物などに関連した情報をインターネット経由で取得することができるデジタル放送受信装置及びデジタル放送受信方法に関する。
【背景技術】
【０００２】
近年、インターネットに接続可能なデジタル放送受信装置の普及が拡大している。このようなデジタル放送受信装置においては、ユーザーが、映像コンテンツを視聴中にこの映像コンテンツに含まれている人物や建物などについて詳細な情報が知りたくなった場合は、デジタル放送受信装置に搭載されているブラウザを起動し、人物の名前や建物の名称を検索キーワードとして検索エンジンに入力して検索を行い、その検索で探し出された人物や建物に関する詳しい情報を表示させている。
【０００３】
しかしながら、視聴中の映像コンテンツに関連する情報を表示させるためにキーワードを入力する、もしくはキーワードを選択する動作はユーザーにとって煩わしい動作となる。さらに、映像に含まれている人物の名前や建物の名称をユーザーが特定できなければ、有用なキーワードを入力することができないため、ユーザーが期待する情報を表示させることができない。
【０００４】
このような問題に対して、視聴している映像に含まれている人物や建物等に関連する情報を表示する際の煩わしい動作を軽減する方法が様々考案されている。例えば、表示中の映像から、その映像中の対象物（例えば、人物）に関する複数の画像データ（例えば、人物の顔画像）を抽出し、抽出された画像データを画像照合装置に送出し、この画像照合装置において蓄積されている多数の基準画像データと、抽出された画像データとのマッチング処理を行い、その画像データにマッチする基準画像データに関連付けられている対象物情報を取得して、その対象物情報である対象物の名前や名称、その対象物に関する詳しい情報などを表示するデジタル放送受信装置が開示されている（例えば、特許文献１参照）。
【先行技術文献】
【特許文献】
【０００５】
【特許文献１】特開２００９−１１８４１１号公報（３頁、図１、２）
【発明の概要】
【発明が解決しようとする課題】
【０００６】
このような従来のデジタル放送受信装置においては、表示中の映像に含まれている人物が複数人であり、その中からユーザーが詳細な情報を知りたい人物を選択するためには、画面上に表示したフレームをユーザーがリモコン操作等によって所望の人物の顔画像を囲うようにして選択する必要がある。そのため、ユーザーは顔画像がフレーム内に収まるように正確にフレームを操作しなければならず、非常に煩わしい動作が必要になるという問題がある。とくに、人物が動いているような映像に対して、リモコンに装備されている上下左右キーを連続的に押下して人物の動きにフレームを追従させるようなフレーム操作を行うことは非常に困難であり、人物を選択することができないという問題がある。
【０００７】
また、特定した対象物に関する詳しい情報として表示される対象物情報は、基準画像データとともに画像照合装置に保存されている予め作成された過去の情報である。そのため、時間が経過すると対象物情報の内容が古くなり、有用な情報ではなくなるためユーザーに不快感を与えるという問題がある。さらに、有用な情報とするためには時間の経過とともに対象物情報を更新する必要があり、その手間が発生するという問題がある。
【０００８】
この発明は、上述のような課題を解決するためになされたもので、視聴している映像に複数の対象物が含まれていたり、対象物が動いていたりするような場合であっても、ユーザーは簡単なリモコン操作で対象物を容易に選択することができ、対象物を選択する際の煩わしい動作を軽減し、且つ確実に対象物を選択することができる。
【０００９】
また、ユーザーが選択した対象物に関する詳しい情報をインターネットの検索で取得し、取得した最新の情報をもとに構築した対象物情報を表示することで、ユーザーは常に有用な情報を入手することができるため、ユーザーに満足感を与えることができる。
【課題を解決するための手段】
【００１０】
この発明に係るデジタル放送受信装置においては、
デジタル放送信号を受信するチューナ部と、
受信したデジタル放送信号をトランスポートストリームに復調する復調部と、
この復調部で復調された前記トランスポートストリームから番組データ、番組特定データおよび番組配列データを抽出するデマルチプレクサ部と、
このデマルチプレクサ部で抽出された前記番組データに含まれる映像データおよび音声データをＭＰＥＧ復号するＭＰＥＧデコーダ部と、
このＭＰＥＧデコーダ部でＭＰＥＧ復号された映像データにＯＳＤを合成するＯＳＤ処理部と、
前記ＯＳＤが合成された前記ＭＰＥＧ復号された映像データを表示する表示部と、
前記ＭＰＥＧデコーダ部でＭＰＥＧ復号された音声データを出力するスピーカと、
アプリケーションプログラムが格納されているフラッシュＲＯＭと、
前記アプリケーションプログラムが実行されるＲＡＭと、
装置全体を制御する制御部と、
リモコンのキー操作信号を受信するキー受信部と、
インターネットに接続された各種サーバーとデータの送受信を行うネットワークＩＦ部とを有するデジタル放送受信装置において、
前記制御部は、
所定の一番組の中で前記表示部に表示される映像に含まれている対象物の対象物画像データを一定時間毎に自動的に抽出する対象物画像データ自動抽出手段と、
前記対象物の名称と当該対象物の基準対象物画像データが関連付けされた対象物データベースを参照し、前記番組配列データに含まれる番組情報から番組の登場対象物の名称を取得し、前記対象物画像データ自動抽出手段で抽出された対象物画像データと前記対象物データベースに登録されている対象物の基準対象物画像データを照合して類似率の高い基準対象物画像データを複数抽出し、抽出された前記複数の基準対象物画像データの対象物の名称と前記登場対象物の名称とを照合し、名称が一致した基準対象物画像データの対象物を前記対象物画像データの対象物として特定する対象物特定手段と、
前記対象物特定手段で特定された前記対象物の名称と当該対象物の対象物画像データを対応付けた対象物リストを、前記対象物画像データ自動抽出手段により一定時間毎に自動的に抽出された前記対象物画像データを照合しながら加えることで、前記一番組毎に構築する対象物リスト構築手段と、
前記対象物リスト構築手段で構築された前記対象物リストを前記ＯＳＤ処理部に通知して前記表示部に前記対象物リストの表示を、前記対象物画像データ自動抽出手段により一定時間毎に自動的に抽出された前記対象物画像データを照合しながら加えることで、前記一番組毎に行う対象物リスト表示手段と、
前記表示部に表示された前記対象物リストからユーザーからの操作によって対象物が選択される対象物選択手段と、
前記対象物選択手段で選択された対象物に関する対象物情報の構成要素を前記インターネットの検索で前記各種サーバーから取得し、取得した情報をもとに対象物情報を構築する対象物情報構築手段と、
前記対象物情報構築手段で構築された前記対象物情報を前記ＯＳＤ処理部に通知して前記表示部に前記対象物情報の表示を行う対象物情報表示手段と、
を備えたものである。
【発明の効果】
【００１１】
この発明は、ユーザーが映像コンテンツを視聴中に、視聴している番組中の映像に含まれている対象物について詳細な情報が知りたくなった際、視聴している番組中の映像に含まれている全ての対象物の対象物画像データを一定時間毎に自動的に抽出し、リスト表示し、更に、当該リストを更新するので、ユーザーは、番組中で登場したほぼすべての対象物の中から所定の対象物を容易に選択することができる。そのため、対象物を選択する際の煩わしい動作を軽減し、且つ確実に対象物を選択することができる。
【図面の簡単な説明】
【００１３】
【図１】本発明の実施の形態１を示すデジタル放送受信装置の構成を示すブロック図である。
【図２】本発明の実施の形態１を示すデジタル放送受信装置の人物リスト表示処理手順を示すフローチャートである。
【図３】本発明の実施の形態１を示すデジタル放送受信装置の表示部における映像表示画面の一例を示す説明図である。
【図４】本発明の実施の形態１を示すデジタル放送受信装置で抽出した顔画像データを保存したＲＡＭの状態を示す説明図である。
【図５】本発明の実施の形態１を示すデジタル放送受信装置における人物リストの構成の一例を示す説明図である。
【図６】本発明の実施の形態１を示すデジタル放送受信装置の表示部における人物リストを表示するための表示画面の一例を示す説明図である。
【図７】本発明の実施の形態１を示すデジタル放送受信装置の人物情報表示処理手順を示すフローチャートである。
【図８】本発明の実施の形態１を示すデジタル放送受信装置における人物情報の構成の一例を示す説明図である。
【図９】本発明の実施の形態１を示すデジタル放送受信装置の表示部における人物情報を表示するための表示画面の一例を示す説明図である。
【図１０】本発明の実施の形態１を示すデジタル放送受信装置の表示部における画像や動画を含む人物情報を表示するための表示画面の一例を示す説明図である。
【図１１】本発明の実施の形態１を示すデジタル放送受信装置の人物情報表示処理における検索結果の解析処理を示すフローチャートである。
【図１２】本発明の実施の形態１を示すデジタル放送受信装置におけるＵＲＬの信頼度リストの一例を示す説明図である。
【図１３】本発明の実施の形態２を示すデジタル放送受信装置の構成を示すブロック図である。
【発明を実施するための形態】
【００１４】
実施の形態１．
図１は、この発明を実施するための実施の形態１のデジタル放送受信装置の構成を示すブロック図である。本実施の形態においては、対象物として人物を想定して説明を行う。本実施の形態のデジタル放送受信装置は、アンテナ１、チューナ２、復調部３、デマルチプレクサ部４、ＭＰＥＧデコーダ部５、ＯＳＤ処理部６、フラッシュＲＯＭ７、ＲＡＭ８、制御部９、キー受信部１０およびネットワークＩＦ部１１を備えて構成されている。また、本実施の形態のデジタル放送受信装置は、音声を出力するスピーカ１２と映像を表示する表示部１３とを備えている。さらに、本実施の形態のデジタル放送受信装置は、ネットワークＩＦ部１１を介して、人物データベースサーバー１４、各種サーバー１５と接続されている。人物データベースサーバー１４は、人物の名前と当該人物の基準顔画像データが関連付けされた人物データベース１４ａを保持しているサーバーであり、各種サーバー１５は、Ｗｅｂサーバーなどである。
【００１５】
アンテナ１は、デジタル放送信号を受信するパラボラアンテナやＵＨＦアンテナなどであり、受信したデジタル放送信号をチューナ２に出力する。
【００１６】
チューナ２は、入力されたデジタル放送信号からユーザーが所望する物理チャンネルを選択して復調部３に出力する。
【００１７】
復調部３は、伝送路符号化されたデジタル放送信号の誤り訂正処理、復調処理などを行い、ユーザーが所望する番組を構成する映像データ、音声データ等がＭＰＥＧ２システムで多重化されたトランスポートストリームに変換してデマルチプレクサ部４に出力する。
【００１８】
デマルチプレクサ部は、入力されたトランスポートストリームから番組データ（映像データパケット、音声データパケットなど）、番組特定データ（ＰＡＴパケット、ＰＭＴパケットなど）および番組配列データ（ＥＩＴパケット等）を抽出し、映像データおよび音声データをＭＰＥＧデコーダ部５に出力する。
【００１９】
ＭＰＥＧデコーダ部５は、ＭＰＥＧ符号された映像データおよび音声データのＭＰＥＧ復号を行い、復号された映像データを表示部１３に出力し、音声データをスピーカ１２に出力する。
【００２０】
ＯＳＤ処理部６は、制御部９からの通知に従ってＭＰＥＧデコーダ部５から出力される映像データにＯＳＤ（Ｏｎ  Ｓｃｒｅｅｎ  Ｄｉｓｐｌａｙ）を合成する。ＯＳＤはメニューなどの文字や画像から構成されるグラフィックスであり、映像データに重畳されて表示部１３に表示される。
【００２１】
フラッシュＲＯＭ７は、デジタル放送受信装置のアプリケーションプログラムやデータなどが予め格納されている記録媒体である。また、フラッシュＲＯＭ７には、人物の名前と当該人物の基準顔画像データが関連付けされた人物データベース７ａが格納されている。しかしながら、フラッシュＲＯＭ７の容量が小さい場合は、人物データベース７ａを省いてもよい。さらに、フラッシュＲＯＭ７には、人物情報を一時的に保存する人物情報キャッシュ領域７ｂが設けられている。
【００２２】
ＲＡＭ８は、フラッシュＲＯＭ７から展開されたデジタル放送受信装置のアプリケーションプログラムが実行される。さらに、図示していないがＲＡＭ８の容量が大きい場合は、人物情報を一時的に保存する人物情報キャッシュ領域をＲＡＭ８に設けてもよい。
【００２３】
制御部９は、チューナ２、復調部３、デマルチプレクサ部４、ＭＰＥＧデコーダ部５、ＯＳＤ処理部６、フラッシュＲＯＭ７、ＲＡＭ８、キー受信部１０、ネットワークＩＦ部１１と接続され、デジタル放送受信装置全体の制御を行う。
【００２４】
さらに、制御部９は、顔画像データ自動抽出手段９ａと、人物特定手段９ｂと、人物リスト構築手段９ｃと、人物リスト表示手段９ｄと、人物選択手段９ｅと、人物情報構築手段９ｆと、人物情報表示手段９ｇとを備えている。以下、制御部９について詳細に説明する。
【００２５】
顔画像データ自動抽出手段９ａは、表示部１３に表示される映像に含まれている全ての人物の顔画像データを抽出し、抽出した顔画像データをＲＡＭ８に保存する。また、全ての人物の顔画像データを抽出した後、一定時間が経過すると再度顔画像データの抽出を行う。
【００２６】
顔画像データ自動抽出手段９ａにおける抽出方法としては、例えば、表示部１３に表示される映像のスクリーンショットを撮り、撮影した画像データに顔画像認識処理を行うことで全ての人物の顔画像データを抽出することができる。
【００２７】
人物特定手段９ｂは、まずデマルチプレクサ部４で抽出された番組配列データに含まれる番組情報から番組の登場人物名を取得する。
【００２８】
次に、人物特定手段９ｂは、顔画像データ自動抽出手段９ａで抽出された顔画像データと人物データベース７ａ、または人物データベース１４ａに登録されている人物の基準顔画像データを照合する。照合した結果、顔画像データと類似率の高い基準顔画像データを複数抽出し、抽出した基準顔画像データの人物の名前と前記登場人物名を照合して名前が一致した基準顔画像データの人物を顔画像データの人物として特定する。名前が一致しなかった場合と登場人物名が番組情報に存在しなかった場合は、類似率の最も高い基準顔画像データの人物を顔画像データの人物として特定する。
【００２９】
人物リスト構築手段９ｃは、人物特定手段９ｂで特定された人物の名前と当該人物の顔画像データを対応付けた人物リストを構築する。このとき、人物リスト構築手段９ｃは、人物特定手段９ｂで特定された人物の名前が既に人物リストに登録されている場合は、当該人物を人物リストに追加しない。
【００３０】
人物リスト表示手段９ｄは、人物リストに登録されている人物の名前と当該人物の顔画像データとをＯＳＤ処理部６に通知して表示部１３に当該人物リストの表示を行う。
【００３１】
人物選択手段９ｅは、表示部１３に表示された人物リストとともに人物を選択するためのカーソルを表示し、例えばリモコンなどに装備されている上下左右キーのユーザーの操作によってカーソルが移動することで人物を選択する。
【００３２】
人物情報構築手段９ｆは、人物選択手段９ｅで選択された人物に関する人物情報（プロフィールなど）を構築するため、人物情報の構成要素（生年月日、趣味等）に関する情報をインターネットの検索で各種サーバー１５から取得し、取得した情報をもとに人物情報を構築する。また、人物情報構築手段９ｆは、構築した人物情報を人物情報キャッシュ領域７ｂに保存する。さらに、人物情報構築手段９ｆは、表示部１３に表示された人物リストの中から選択された人物に関する人物情報が人物情報キャッシュ領域７ｂに存在する場合は、人物情報キャッシュ領域７ｂから人物情報を取得する。
【００３３】
構成要素の取得方法としては、例えば、検索サイトが提供するＷｅｂ  ＡＰＩを使用し、人物名および生年月日などを検索キーワードとして検索サイトに送信して検索結果を受信する。検索結果には検索キーワードの情報を含むＵＲＬが複数記載されており、当該ＵＲＬからの受信データを解析することで生年月日などを取得することができる。
【００３４】
さらに、検索結果として得られた複数のＵＲＬに対して信頼度の推定を行い、信頼度の高いＵＲＬから順番に受信データの解析を行う。信頼度の推定方法としては、例えば、検索結果として得られた複数のＵＲＬの中でＵＲＬの記載順を信頼度とし、最初に記載されたＵＲＬを最も高い信頼度としてもよい。また、信頼度の尺度を設定し、ＵＲＬを解析して尺度が満たされているかどうかの判定を行い、尺度ごとに定められた点数の総和を当該ＵＲＬの信頼度としてもよい。尺度としては、例えば、ドメイン名（ｃｏｍ等）、検索機能の有無、外部リンク数などを用いることができる。
【００３５】
人物情報表示手段９ｇは、人物情報構築手段９ｆで構築した人物情報を前記ＯＳＤ処理部６に通知して表示部１３に当該人物情報の表示を行う。
【００３６】
図２は、本実施の形態のデジタル放送受信装置の人物リスト表示処理手順を示すフローチャートである。図３は、本実施の形態のデジタル放送受信装置の表示部における映像表示画面の一例を示す説明図である。図４は、本実施の形態のデジタル放送受信装置における抽出した顔画像データを保存したＲＡＭの状態を示す説明図である。図５は、本実施の形態のデジタル放送受信装置における人物リストの構成の一例を示す説明図である。図６は、本実施の形態のデジタル放送受信装置における人物リストを表示するための表示画面の一例を示す説明図である。以下、図２から図６に基づいて人物リスト表示処理について説明する。
【００３７】
図２に基づいて、本実施の形態のデジタル放送受信装置の人物リスト表示処理の動作について説明する。デジタル放送受信装置の電源が投入されるとデジタル放送受信装置のアプリケーションプログラムが起動し、制御部９はデジタル放送信号を受信して選局したチャンネルの番組の映像を表示部１３に表示する（ステップ１００）。通常の映像表示は、例えば、図３に示すように、デジタル放送受信装置５００の表示部１３の映像表示領域５０１に映像が表示される。
【００３８】
映像が表示部１３に表示されると、制御部９は人物情報表示開始モードが開始されているか否かを判定する（ステップ１０１）。人物情報表示開始モードは、例えば、ユーザーがリモコン操作によって「開始」「停止」を選択する。
【００３９】
ステップ１０１で人物情報表示開始モードが停止の場合は、通常の映像表示を継続する。ステップ１０１で人物情報表示開始モードが開始の場合は、顔画像データ自動抽出手段９ａは、表示部１３に表示される映像に含まれている全ての人物の顔画像データを抽出し、図４に示すように、各顔画像データに対して顔画像ＩＤを割り振った状態でＲＡＭ８に保存する（ステップ１０２）。
【００４０】
全ての顔画像データを抽出すると、人物特定手段９ｂは、選局番組の番組情報を取得し、番組情報に含まれる登場人物名を取得する（ステップ１０３）。
【００４１】
次に、人物特定手段９ｂは、ステップ１０２で抽出された顔画像データと人物データベース７ａ、または人物データベース１４ａに登録されている人物の基準顔画像データを照合して類似率の高い基準顔画像データを複数抽出し、抽出した基準顔画像データの人物の名前と前記登場人物名を照合して名前が一致した基準顔画像データの人物を顔画像データの人物として特定する（ステップ１０４）。なお、フラッシュＲＯＭ７に登録されている人物データベース７ａは、デジタル放送受信装置に予め記憶されていたものである。
【００４２】
顔画像データの人物を特定すると、人物リスト構築手段９ｃは、当該人物が既に人物リストに登録されているか否かを判定する（ステップ１０５）。人物リストは、例えば、図５に示すように、人物の名前と顔画像ＩＤを対応付けることで人物の名前と当該人物の顔画像データが対応付けされたリストとなっている。なお、最初にこのステップ１０５を行うときは人物リストには何も登録されていない。また、後述するが、番組が切り替わったときにはこの人物リストは削除されて何も登録されていない状態となる。
【００４３】
ステップ１０５で既に人物リストに登録されている場合は、ステップ１０４に戻り、人物が特定されていない顔画像データの人物の特定を行う。
【００４４】
ステップ１０５で人物リストに登録されていない場合は、人物を特定した顔画像データの顔画像ＩＤと当該人物の名前を人物リストに登録する（ステップ１０６）。
【００４５】
このようにして人物リストが新たに構築されると、人物リスト表示手段９ｄは、人物リストに登録されている人物の名前と当該人物の顔画像データとをＯＳＤ処理部６に通知して表示部１３に人物リストを表示する（ステップ１０７）。人物リストは、例えば、図６に示すように、縮小した映像表示領域５０１の下部に設けた人物リスト表示領域５０２に表示される。さらに、人物選択手段９ｅは、ユーザーが詳細な情報を知りたい人物を選択するためのカーソル５０３を人物表示リストに重畳させて表示する。カーソル５０３のデフォルト位置は、最初に人物リストに登録された人物とする。
【００４６】
人物リストが表示されると、制御部９は、ＲＡＭ８に保存した全ての顔画像データについて人物が特定できたか否かを判定する（ステップ１０８）。
【００４７】
全ての顔画像データについて人物が特定できていない場合は、ステップ１０４に戻り、人物が特定されていない顔画像データの人物の特定を行う。
全ての顔画像データについて人物が特定できた場合は、一定時間が経過するのを待つ（ステップ１０９）。
一定時間が経過すると、ステップ１０２に戻り、再度表示部１３に表示される映像に含まれている全ての人物の顔画像データの抽出を行う。
【００４８】
図７は、本実施の形態のデジタル放送受信装置の人物情報表示処理手順を示すフローチャートである。図８は、人物情報の構成の一例を示す説明図である。図９は、人物情報を表示するための表示画面の一例を示す説明図である。以下、図７から図９に基づいて人物情報表示処理について説明する。
【００４９】
図７に基づいて、本実施の形態のデジタル放送受信装置の人物情報表示処理の動作について説明する。表示部１３に表示された人物リストの中から、ユーザーのカーソル５０３の操作によって、詳しい情報を知りたい人物が選択される（ステップ２００）。カーソル５０３のデフォルト位置は最初に人物リストに登録された人物としたため、例えば、当該人物の人物情報表示処理が最初に動作する。
【００５０】
詳しい情報を知りたい人物が選択されると、人物情報構築手段９ｆは、選択された人物に関する人物情報が人物情報キャッシュ領域７ｂに存在するか否かを判定する（ステップ２０１）。
人物情報が人物情報キャッシュ領域７ｂに存在している場合は、人物情報キャッシュ領域７ｂから当該人物情報を取得し（ステップ２０２）、ステップ２０９に進む。
【００５１】
人物情報が人物情報キャッシュ領域７ｂに存在していない場合は、人物情報の構成要素を検索キーワードとして抽出する（ステップ２０３）。例えば、図８に示すような人物情報の場合は、人物情報の構成要素は職業、性別、出身地、生年月日、年齢、好物、趣味、出演ドラマ、出演映画となる。
【００５２】
人物情報構築手段９ｆは、抽出したキーワードをインターネットで検索し（ステップ２０４）、検索結果として得られた複数のＵＲＬに対して信頼度の推定を行い、信頼度の高いＵＲＬから順番に構成要素に関する情報を取得する（ステップ２０５）。
【００５３】
次に、人物情報構築手段９ｆは、これらの構成要素に関する情報を取得すると、構成要素全てに関する情報を取得したか否かを判定する（ステップ２０６）。
【００５４】
さらに、人物情報構築手段９ｆは、構成要素全てに関する情報を取得できていない場合は、ステップ２０４に戻り、検索を継続する。
【００５５】
さらに、人物情報構築手段９ｆは、構成要素全てに関する情報を取得できた場合は、取得した情報をもとに人物情報を構築する（ステップ２０７）。例えば、図８に示すような人物情報となる。
【００５６】
また、人物情報構築手段９ｆは、構築した人物情報を人物情報キャッシュ領域７ｂに保存する（ステップ２０８）。
【００５７】
人物情報構築手段９ｆによって人物情報が構築されると、人物情報表示手段９ｇは、人物情報を前記ＯＳＤ処理部６に通知して表示部１３に人物情報を表示する（ステップ２０９）。人物情報は、例えば、図９に示すように、映像表示領域５０１と人物リスト表示領域５０２の右部に設けた人物情報表示領域５０４に表示される。
【００５８】
なお、図７に示すフローチャートでは説明していないが、ユーザーが視聴している番組が切り替わったタイミングで、人物リスト構築手段９ｃは、人物リストの登録情報を全て削除し、人物情報構築手段９ｆは、人物情報キャッシュ領域７ｂに保存されている人物情報を全て削除する。
【００５９】
また、本実施の形態においては、人物情報の構成要素を生年月日、趣味などの文字情報のみを例として説明したが、例えば、人物に関する画像や動画などを構成要素に含めてもよい。その場合、例えば、図１０に示すように、人物情報表示領域５０４に画像の表示領域５０４ａ、５０４ｂ、動画の表示領域５０４ｃ、５０４ｄを設けて、人物情報の構成要素となる画像や動画を表示することができる。
【００６０】
図１１、は本実施の形態のデジタル放送受信装置の人物情報表示処理における検索結果の解析処理を示すフローチャートである。図１２は、ＵＲＬの信頼度リストの一例を示す説明図である。以下、図１１および図１２に基づいて検索結果の解析処理について説明する。
【００６１】
図１１は、図７で説明した人物情報表示処理におけるステップ２０５に示す検索結果の解析の処理をさらに詳細に説明したフローチャートである。人物情報構築手段９ｆは、検索結果の解析を開始すると（ステップ６００）、検索結果として得られたＵＲＬを抽出する（ステップ６０１）。
【００６２】
次に、人物情報構築手段９ｆは、抽出した各ＵＲＬに対して信頼度の推定を行い（ステップ６０２）、信頼度リストを作成する。信頼度リストは、例えば、図１２に示すように、信頼度とＵＲＬを対応付けたリストであり、信頼度欄及びＵＲＬ欄、さらに、ＵＲＬからデータを受信したか否かを示す受信欄とから構成される。受信欄の初期値は、データの未受信を示す０となっている。
【００６３】
信頼度の推定が完了すると、人物情報構築手段９ｆは、信頼度リストの受信欄が０となっているＵＲＬの中から最も信頼度が高いＵＲＬを抽出し、当該ＵＲＬからデータを受信した後、信頼度リストの当該ＵＲＬに対応付けられた受信欄を１とする（ステップ６０３）。
【００６４】
人物情報構築手段９ｆは、データを受信すると、データ解析を行い、構成要素に関する情報を取得する（ステップ６０４）。
【００６５】
人物情報構築手段９ｆは、データ解析を行った結果、構成要素に関する情報を取得できたか否かを判定する（ステップ６０５）。
【００６６】
人物情報構築手段９ｆは、ステップ６０５で情報を取得できなかった場合は、ステップ６０３に戻る。人物情報構築手段９ｆは、ステップ６０５で情報を取得できた場合は、検索結果の解析を終了する（ステップ６０６）。
【００６７】
以上のように、本実施の形態のデジタル放送受信装置は、視聴している映像に含まれている全ての人物の顔画像データを自動的に抽出し、人物データベースを参照して抽出した顔画像データの人物を特定し、特定した人物の名前および当該人物の顔画像データをリスト表示し、リスト表示された人物の中から詳しい情報を知りたい人物をカーソル操作によってユーザーが選択可能とすることができる。そのため、ユーザーが映像コンテンツを視聴中に、視聴している映像に含まれている人物について詳細な情報が知りたくなったときには、人物が動いているような映像に対してもユーザーはリモコンに装備されている上下左右キーを数回押下するだけで人物を容易に選択することができるため、人物を選択する際の煩わしい動作を軽減し、且つ確実に人物を選択することができる。
【００６８】
また、ユーザーが選択した人物に関する詳しい情報をインターネットの検索で取得し、取得した最新の情報をもとに構築した人物情報を表示することができるので、ユーザーは常に有用な情報を入手することができるため、ユーザーに満足感を与えることができる。
【００６９】
また、一定時間が経過するごとにユーザーが視聴している映像に含まれている全ての人物の顔画像データを抽出し、登場人物の出現に追従した人物リストの表示を行うことができるので、過去の映像シーンに登場した人物も含めてリスト表示することができるため、ユーザーは視聴している番組に登場する全ての人物を選択することができる。
【００７０】
また、顔画像データの人物を特定する際に、顔画像データの照合と人物名の照合とを行うことができるので、人物の特定精度を向上することができる。
【００７１】
また、人物リストに既に登録されている人物の二重登録を防止することができるので、メモリ使用量の削減と、同一人物が人物リストに２つ表示されることがなく、ユーザーに与える不快感を無くすことができる。
【００７２】
また、番組が切り替わったときに人物リストの登録情報を削除することができるので、ユーザーが視聴している映像に関連しない人物が人物リストに表示されることがなく、ユーザーに与える不快感を無くすことができる。
【００７３】
また、信頼度の高いサーバーから取得した情報をもとに人物情報を構築することで、ユーザーは常に信頼性の高い有用な情報を入手することができるため、ユーザーに満足感を与えることができる。
【００７４】
また、構築した人物情報をキャッシュしておくことで、人物情報の表示開始時間を短縮することができる。
【００７５】
実施の形態２．
図１３は、この発明を実施するための実施の形態２のデジタル放送受信装置の構成を示すブロック図である。本実施の形態のデジタル放送受信装置の構成は、実施の形態１のデジタル放送受信装置と同様であるが、制御部９がさらに人物情報事前構築手段９ｈを備えている点で実施の形態１と異なる。
【００７６】
人物情報事前構築手段９ｈは、表示部１３に表示された人物リストの中から選択された人物以外の人物、つまり、人物リストに登録された人物の中で人物情報キャッシュ領域７ｂに人物情報が存在しない人物に関する人物情報を事前に構築し、構築した人物情報を予め人物情報キャッシュ領域７ｂに保存しておく。人物情報の構築方法は、人物情報構築手段９ｆと同じである。
【００７７】
人物情報事前構築手段９ｈは、実施の形態１で説明した図７の人物情報表示処理のフローチャートにおいて、人物リストの中から最初に選択された人物の人物情報が表示された後（ステップ２０９の後）、人物リストの中から人物情報キャッシュ領域７ｂに人物情報が存在しない人物を選択し、当該人物についてステップ２０１からステップ２０８の処理を行う。
【００７８】
このように構成されたデジタル放送受信装置においては、人物リストの中から選択された人物以外の人物に関する人物情報を事前に構築し、キャッシュしておくことで、人物情報の表示開始時間を短縮することができる。
【符号の説明】
【００７９】
１  アンテナ
２  チューナ
３  復調部
４  デマルチプレクサ部
５  ＭＰＥＧデコーダ部
６  ＯＳＤ処理部
７  フラッシュＲＯＭ
８  ＲＡＭ
９  制御部
１０  キー受信部
１１  ネットワークＩＦ部
１２  スピーカ
１３  表示部
１４  人物データベースサーバー
１５  一般サーバー
【図１】
0005834541.tif 000002
【図２】
0005834541.tif 000003
【図３】
0005834541.tif 000004
【図４】
0005834541.tif 000005
【図５】
0005834541.tif 000006
【図６】
0005834541.tif 000007
【図７】
0005834541.tif 000008
【図８】
0005834541.tif 000009
【図９】
0005834541.tif 000010
【図１０】
0005834541.tif 000011
【図１１】
0005834541.tif 000012
【図１２】
0005834541.tif 000013
【図１３】
0005834541.tif 000014